(57)【要約】【課題】軒樋の上端開口幅を拡大させた状態におき、接着剤の削り取りが起こることなく軒樋の接続側端部を軒樋継手の軒樋接続部に嵌め込ませる。【解決手段】軒樋吊具７の先端部１０に係合可能な凹部１６を一端部１５に有し、他端部１７に、軒樋の前壁部に接触して前壁部を外側に押圧可能な押圧部１８を有する軒樋施工用補助部材１４によって、軒樋の上端開口幅を拡大させた状態に保持する。【選択図】図１
2009263982.tif 000002
【特許請求の範囲】
【請求項１】
軒樋吊具の先端部に係合可能な凹部を一端部に有し、他端部に、軒樋の前壁部に接触して前壁部を外側に押圧可能な押圧部を有する軒樋施工用補助部材であって、軒樋施工用補助部材は、凹部において軒樋吊具の先端部に係合するとともに、押圧部が軒樋の前壁部に接触して軒樋の上端開口幅を拡大させることを特徴とする軒樋施工用補助部材。
【請求項２】
凹部は、軒樋吊具において軒樋の前壁上端部に形成された前耳部を保持する前耳保持部に引っ掛かり、係合可能にされていることを特徴とする請求項１に記載の軒樋施工用補助部材。
【請求項３】
凹部は、軒樋吊具本体の左右両側面部に形成された本体凹部に嵌合可能な突起を内側に有し、突起が軒樋吊具本体の本体凹部に嵌合して凹部が軒樋吊具の先端部に係合した状態において、軒樋施工用補助部材は、突起が本体凹部にガイドされるとともに、押圧部が軒樋の前壁部内面にガイドされ、軒樋内部を後壁部に向かってスライド移動可能にされていることを特徴とする請求項１に記載の軒樋施工用補助部材。
【発明の詳細な説明】
【技術分野】
【０００１】
本発明は、軒樋同士を軒樋継手によって接続する際に使用される軒樋施工用補助部材に関する。
【背景技術】
【０００２】
軒樋同士の接続に軒樋継手が用いられている。軒樋継手は、一般に、接続する２つの軒樋の接続側端部に連結される軒樋接続部を両端部に備え、軒樋接続部の対向する側壁部の上端部に、軒樋の前壁部および後壁部の上端部に形成された耳部を係止する係止耳部が設けられている。軒樋同士を接続する際には、軒樋の接続側端部を軒樋継手の軒樋接続部に嵌め込むとともに、軒樋の耳部を軒樋継手の係止耳部に嵌め込み、係止させる。
【０００３】
このような軒樋継手を用いた軒樋同士の接続には、軒樋継手の軒樋接続部の外面に接着剤を塗布し、接着によって軒樋と軒樋継手の連結強度を高め、十分なものとしている。
【０００４】
しかしながら、軒樋の接続側端部を軒樋継手の軒樋接続部に嵌め込む際に、軒樋接続部の外面に塗布した接着剤が軒樋の接続側端部の接触により削り取られることがよくあり、軒樋と軒樋継手の連結強度が十分とならず、このことに起因して軒樋同士の接続部に水漏れが発生するという問題がある。接着剤の削り取りの原因は、軒樋継手に嵌め込むときの軒樋の上端開口幅が狭いことである。
【０００５】
このような軒樋の軒樋継手への嵌め込みに関する問題の解決策として、本出願人は、たとえば、所定形状に形成したガイド突起を曲がり継手の係止耳部の手前側方に設けることを提案している（特許文献１）。
【特許文献１】特開２００３−３１４００３号公報
【発明の開示】
【発明が解決しようとする課題】
【０００６】
特許文献１に記載した軒樋継手と軒樋の連結構造は、上記の通りの曲がり継手を採用することによって問題解決を図るものである。上記問題を広く解決するためには、現行の軒樋継手に対して有効な手段を新たに見出すことも必要とされる。
【０００７】
一般には、軒樋の上端開口幅は、軒樋の前壁部を外側に押し広げることによって軒樋の弾性を利用して拡大することはできる。しかしながら、軒樋同士の接続の際には、２つの軒樋および軒樋継手の計３つの部材を手に持って施工することになるので、よほどの熟練者でないと、そのように軒樋の上端開口幅を拡大させながら軒樋の接続側端部を軒樋継手の軒樋接続部に嵌め込むという作業を行うのは難しい。このような作業の難しさは、高所または比較的高所での施工ということにも関係する。
【０００８】
本発明は、以上の通りの事情に鑑みてなされたものであり、軒樋の上端開口幅を拡大させた状態におき、接着剤の削り取りが起こることなく軒樋の接続側端部を軒樋継手の軒樋接続部に嵌め込ませることのできる軒樋施工用補助部材を提供することを課題としている。
【課題を解決するための手段】
【０００９】
本発明は、上記の課題を解決するために、以下の特徴を有している。
【００１０】
第１の発明は、軒樋吊具の先端部に係合可能な凹部を一端部に有し、他端部に、軒樋の前壁部に接触して前壁部を外側に押圧可能な押圧部を有する軒樋施工用補助部材であって、軒樋施工用補助部材は、凹部において軒樋吊具の先端部に係合するとともに、押圧部が軒樋の前壁部に接触して軒樋の上端開口幅を拡大させることを特徴としている。
【００１１】
第２の発明は、上記第１の発明の特徴において、凹部は、軒樋吊具において軒樋の前壁上端部に形成された前耳部を保持する前耳保持部に引っ掛かり、係合可能にされていることを特徴としている。
【００１２】
第３の発明は、上記第１の発明の特徴において、凹部は、軒樋吊具本体の左右両側面部に形成された本体凹部に嵌合可能な突起を内側に有し、突起が軒樋吊具本体の本体凹部に嵌合して凹部が軒樋吊具の先端部に係合した状態において、軒樋施工用補助部材は、突起が本体凹部にガイドされるとともに、押圧部が軒樋の前壁部内面にガイドされ、軒樋内部を後壁部に向かってスライド移動可能にされていることを特徴としている。
【発明の効果】
【００１３】
上記第１の発明によれば、軒樋の接続側端部を軒樋継手の軒樋接続部に嵌め込む前に、軒樋施工用補助部材を軒樋と軒樋吊具の間に施工し、軒樋施工用補助部材をその一端部の凹部において軒樋吊具の先端部に係合させるとともに、他端部の押圧部を軒樋の前壁部に接触させることによって、軒樋の前壁部を外側に押し広げ、軒樋の上端開口幅を拡大させた状態におくことができる。このように上端開口幅が拡大した状態では軒樋に手を携える必要がなく、施工者は容易に軒樋継手を手に持って所定位置に配置することができ、その後、軒樋施工用補助部材による軒樋の上端開口幅の拡大を解除することによって、軒樋はその弾性により前壁部が元の位置に復帰し、接続側端部が軒樋継手の軒樋接続部に嵌まり込み、軒樋継手の軒樋接続部の外面に塗布された接着剤が、軒樋の接続側端部に接触して削り取られることはほとんどない。したがって、軒樋と軒樋継手の連結強度は十分なものとして確実に実現され、軒樋同士の接続部に水漏れが発生するのを抑制することができる。
【００１４】
上記第２の発明によれば、上記第１の発明の効果に加え、軒樋施工用補助部材の凹部が、軒樋吊具において軒樋の前壁上端部に形成された前耳部を保持する前耳保持部に引っ掛かり、係合可能にされているので、凹部を軒樋吊具の先端部に容易に係合させることができ、軒樋の前壁部を容易に外側に押し広げて軒樋の上端開口幅を拡大させた状態におくことができる。
【００１５】
上記第３の発明によれば、上記第１の発明の効果に加え、軒樋施工用補助部材の凹部が、軒樋吊具本体の左右両側面部に形成された本体凹部に嵌合可能な突起を内側に有し、突起が軒樋吊具本体の本体凹部に嵌合して凹部が軒樋吊具の先端部に係合した状態において、軒樋施工用補助部材は、突起が本体凹部に、押圧部が軒樋の前壁部内面にそれぞれガイドされて、軒樋内部を後壁部に向かってスライド移動することができるので、軒樋の上端開口幅の拡大を解除するために軒樋施工用補助部材を取り外す必要がない。軒樋施工用補助部材は、そのまま配設しておくことができ、しかもスライド移動した後の軒樋施工用補助部材は、軒樋に下側から巻き込むように風が吹き付けるなどの際に、軒樋が浮き上がって軒樋吊具から外れようとするのを抑制することができる。
【発明を実施するための最良の形態】
【００１６】
図１は、本発明の軒樋施工用補助部材の一実施形態を軒樋吊具の先端部とともに示した斜視図である。図２は、図１に示した軒樋施工用補助部材を用いた軒樋同士の接続について示した要部側面図である。
【００１７】
図２に示したように、軒樋１は、平板状の底壁部２と、底壁部２の一端から上方に延設され、外側に若干湾曲した前壁部３と、底壁部２の他端から略垂直上方に延設され、前壁部３より高さの低い後壁部４とを有している。前壁部３の上部は後壁部４側に向かって湾曲し、先端部は斜め下方に折れ曲がり、凸状の前耳部５を形成している。後壁部４の上部には、前壁部３側に向かって突出する凸状の後耳部６が形成されている。
【００１８】
軒樋１は、樹脂、金属、金属板を樹脂にインサートして一体化した複合材料などから形成される。
【００１９】
軒樋１は、軒樋１同士の接続部において、上記の通り、軒樋継手を介して接続されるが、また、軒樋１は、個々に軒樋吊具７に吊持されて建物の軒先に配設される。軒樋吊具７は、軒樋１の前壁部３と後壁部４の間の上端開口幅に対応する長さを有する本体８と、本体８の後端部側に配置され、本体８に垂直に接続された、軒先の鼻隠し板などに当接して固定される固定部９とを備えている。本体８は中程から先端にかけて斜め上方に屈曲し、先端部１０の先端に、軒樋１の前耳部５を引っ掛けて保持する、前耳部５に対応した凹状の前耳保持部１１が形成されている。本体８の後端部には、軒樋１の後耳部６を引っ掛けて保持する、後耳部６に対応した凹状の後耳保持部１２が形成され、後耳保持部１２は、固定部９の前方に離間して配置されている。また、本体８には、前耳保持部１１から後耳保持部１２にかけての左右両側面部に本体凹部１３が形成され、軽量化が図られている。
【００２０】
軒樋吊具７は、樹脂、金属などから形成され、固定部９を前後方向に貫通する孔を通じて鼻隠し板などに打ち込まれる釘、ねじなどによって軒先に取り付け、固定される。
【００２１】
軒樋１は、建物の軒先に固定された軒樋吊具７に、下側から後耳部６を後耳保持部１２に引っ掛けて係合させた後、前壁部３を外側に押し広げて上端開口幅を拡大した状態において、前耳部５を前耳保持部１１に引っ掛け、前壁部３が弾性により元の状態に復帰するときに前耳保持部１１に係合させることにより吊持され、建物の軒先に設置される。軒樋１同士の接続部では、軒樋１は、接続側端部において軒樋継手に連結されるとともに、軒樋吊具７により上記の通り吊持される。
【００２２】
図１に示した軒樋施工用補助部材１４は、略直方体状の形状を有する短尺棒状の部材であり、一端部１５に、軒樋吊具７の本体８の先端部１０に形成された前耳保持部１１に引っ掛かって係合する凹部１６を有している。凹部１６の形状は、係合する前耳保持部１１の形状に対応しており、後面から前面に向かって切り欠かれているが、前面は切り欠かれていなく、前耳保持部１１の下面から下側先端面に接触して係合可能とされている。軒樋施工用補助部材１４の他端部１７は、軒樋１の前壁部３、具体的には前耳部５の上端部に接触して前壁部３を外側に押圧可能な押圧部１８を一部に有している。
【００２３】
軒樋施工用補助部材１４は、軒樋１同士を軒樋継手を介して接続する際に用いられる。図２に示したように、軒樋施工用補助部材１４は、軒樋１の接続側端部を軒樋継手の軒樋接続部に嵌め込む前に、軒樋１と軒樋吊具７の間に施工される。軒樋１の後耳部６を軒樋吊具７の後耳保持部１２に引っ掛け、前壁部３を外側に押し広げた状態において、軒樋施工用補助部材１４の一端部１５側を軒樋吊具７の前耳保持部１１に下側から近づけ、凹部１６を前耳保持部１１に引っ掛け、係合させる。また、軒樋施工用補助部材１４の他端部１７の一部を軒樋１の前耳部５の上端部に接触させ、ここを押圧部１８として軒樋１の前壁部３を外側に押し広げ、上端開口幅が拡大した状態に保持する。このように上端開口幅が拡大した状態では軒樋１に手を携える必要はないため、施工者は容易に軒樋継手を手に持って所定位置に配置することができる。軒樋継手の配置後は、軒樋施工用補助部材１４を軒樋１と軒樋吊具７の間から取り外し、軒樋施工用補助部材１４による軒樋１の上端開口幅の拡大を解除することによって、弾性により前壁部３が元の位置に復帰するときに、接続側端部が軒樋継手の軒樋接続部に嵌まり込む。
【００２４】
したがって、軒樋継手の軒樋接続部の外面に塗布された接着剤に軒樋１の接続側端部が接触することはほとんどなく、接着剤の削り取りが起こるのを抑制することができる。軒樋１と軒樋継手は接着剤によって接着し、連結強度が十分なものとして確実に連結する。このため、軒樋１同士の接続部において水漏れが発生するのが抑制される。
【００２５】
また、軒樋施工用補助部材１４の凹部１６は、軒樋吊具７の前耳保持部１１に容易に係合し、軒樋１の前壁部３を容易に外側に押し広げて軒樋１の上端開口幅を拡大させた状態におくことができる。軒樋施工用補助部材１４の取り付けが容易であり、しかも取り外しが容易ともなっている。
【００２６】
図３は、本発明の軒樋施工用補助部材の一実施形態を軒樋吊具の先端部とともに示した斜視図である。図４は、図３に示した軒樋施工用補助部材を用いた軒樋同士の接続について示した要部側面図である。
【００２７】
軒樋１および軒樋吊具７は、図２に示したものと同じである。軒樋施工用補助部材１４も長さおよび凹部１６の形状を除いて図１に示した軒樋施工用補助部材１４と同じである。したがって、共通する部位については図１および図２に記した同一の符号を付し、説明を省略する。
【００２８】
図３に示した軒樋施工用補助部材１４は、図１に示した軒樋施工用補助部材１４と同じく略直方体状の形状を有する棒状の部材である一方、図１に示した軒樋施工用補助部材１４より長尺の部材である。また、図３に示した軒樋施工用補助部材１４の凹部１６は、軒樋吊具７の本体８の先端部１０に形成された前耳保持部１１に引っ掛かり、係合するように、後面から前面まで切り欠かれている。
【００２９】
図３に示した軒樋施工用補助部材１４も、図１に示した軒樋施工用補助部材１４と同様に、図４に示したように、軒樋１の接続側端部を軒樋継手の軒樋接続部に嵌め込む前に、軒樋１と軒樋吊具７の間に施工される。図１に示した軒樋施工用補助部材１４と異なるのは、施工位置である。
【００３０】
軒樋施工用補助部材１４の一端部１５の凹部１６は、軒樋吊具７の前耳保持部１１に引っ掛け、係合させるが、係合位置は、図１に示した軒樋施工用補助部材１４より前耳保持部１１の若干下側となる。また、軒樋施工用補助部材１４の他端部１７の一部は、軒樋１の前壁部３の内面に接触し、ここが押圧部１８となる。
【００３１】
しかしながら、図３に示した軒樋施工用補助部材１４は、図１に示した軒樋施工用補助部材１４と同様に、軒樋１の前壁部３を外側に押し広げ、上端開口幅が拡大した状態に保持する。したがって、軒樋１同士の軒樋継手を介しての接続は、図１に示した軒樋施工用補助部材１４を用いたときと全く同様にして行うことができ、同様の効果を奏する。
【００３２】
図１に示した軒樋施工用補助部材１４と図３に示した軒樋施工用補助部材１４の使い分けは、軒樋１および軒樋吊具７の大きさ、形状および材質などを考慮するとともに、施工者の使い勝手などに応じて適宜決めることができる。
【００３３】
図５は、本発明の軒樋施工用補助部材の一実施形態を軒樋吊具の先端部とともに示した斜視図である。図６は、図５に示した軒樋施工用補助部材を用いた軒樋同士の接続について示した要部側面図である。
【００３４】
軒樋１および軒樋吊具７は、図２および図４に示したものと同じである。軒樋施工用補助部材１４も長さおよび凹部１６の構成を除いて図３に示した軒樋施工用補助部材１４と同じである。したがって、共通する部位については図３および図４に記した同一の符号を付し、説明を省略する。
【００３５】
図５に示した軒樋施工用補助部材１４は、図３に示した軒樋施工用補助部材１４と同じく略直方体状の形状を有する長尺棒状の部材であり、凹部１６は、軒樋吊具７の本体８の先端部１０に形成された前耳保持部１１に係合するように、後面から前面まで切り欠かれている。一方、凹部１６は、内側に、軒樋吊具７の本体８の左右両側面部に形成された本体凹部１３に嵌合可能な突起１９を有し、突起１９は、凹部１６の対向する側面に一つずつ突設されている。突起１９は、略三角柱状の形状を有し、一つのコーナー部が凹部１６の内面から外側に突出している。
【００３６】
図５に示した軒樋施工用補助部材１４も、図３に示した軒樋施工用補助部材１４と同様に、図６に示したように、軒樋１の接続側端部を軒樋継手の軒樋接続部に嵌め込む前に、軒樋１と軒樋吊具７の間に施工される。図３に示した軒樋施工用補助部材１４と異なるのは、施工位置である。
【００３７】
軒樋施工用補助部材１４の他端部１７の一部は、軒樋１の前壁部３の内面に接触し、ここが押圧部１８となる一方、軒樋施工用補助部材１４の一端部１５の凹部１６は、軒樋吊具７の前耳保持部１１に引っ掛け、係合させるが、突起１９を軒樋吊具７の本体凹部１３に嵌合させる。このため、図５に示した軒樋施工用補助部材１４は、突起１９が軒樋吊具７の本体凹部１３にガイドされるとともに、押圧部１８が軒樋１の前壁部３の内面にガイドされて、軒樋１の内部を後壁部４に向かってスライド可能になる。したがって、軒樋１の接続側端部を軒樋継手に嵌め込む際には、軒樋施工用補助部材１４を軒樋１と軒樋吊具７の間から取り外す必要はなく、凹部１６が軒樋吊具７の本体８の先端部１０に係合した状態において軒樋施工用補助部材１４を軒樋１の後壁部４に向かって図６図中に示した矢印方向にスライドさせることによって、軒樋施工用補助部材１４による軒樋１の上端開口幅の拡大を解除することができ、弾性により前壁部３が元の位置に復帰するときに、接続側端部が軒樋継手の軒樋接続部に嵌まり込む。したがって、図５に示した軒樋施工用補助部材７を用いても、軒樋継手の軒樋接続部の外面に塗布された接着剤に軒樋１の接続側端部が接触することはほとんどなく、接着剤の削り取りが起こるのを抑制することができる。軒樋１と軒樋継手は接着剤によって接着し、連結強度が十分なものとして確実に連結する。このため、軒樋１同士の接続部において水漏れが発生するのが抑制される。
【００３８】
一方、図５に示した軒樋施工用補助部材１４は、軒樋１の上端開口幅の拡大を解除するために取り外す必要がなく、そのまま配設しておくことができる。スライド移動した後の軒樋施工用補助部材１４は、突っ張り棒のように機能し、軒樋１に下側から巻き込むように風が吹き付けるなどの際に、軒樋が浮き上がって軒樋吊具７から外れようとするのを抑制することができる。
【００３９】
上記の通りの図１、図３および図５に示した軒樋施工用補助部材１４を使用することによって、軒樋１および軒樋継手、さらに軒樋吊具７に変更を加えず、現行品を用いて施工容易に、しかも接着剤の削り取りを抑制して軒樋１同士を接続することができる。図１、図３および図５に示した軒樋施工用補助部材１４は、樹脂製などとすることができ、軽量化を図ることができる。
【図面の簡単な説明】
【００４０】
【図１】本発明の軒樋施工用補助部材の一実施形態を軒樋吊具の先端部とともに示した斜視図である。
【図２】図１に示した軒樋施工用補助部材を用いた軒樋同士の接続について示した要部側面図である。
【図３】本発明の軒樋施工用補助部材の一実施形態を軒樋吊具の先端部とともに示した斜視図である。
【図４】図３に示した軒樋施工用補助部材を用いた軒樋同士の接続について示した要部側面図である。
【図５】本発明の軒樋施工用補助部材の一実施形態を軒樋吊具の先端部とともに示した斜視図である。
【図６】図５に示した軒樋施工用補助部材を用いた軒樋同士の接続について示した要部側面図である。
【符号の説明】
【００４１】
１  軒樋
３  前壁部
５  前耳部
７  軒樋吊具
８  本体
１０  先端部
１１  前耳保持部
１３  本体凹部
１４  軒樋施工用補助部材
１５  一端部
１６  凹部
１７  他端部
１８  押圧部
１９  突起
【図１】
2009263982.tif 000003
【図２】
2009263982.tif 000004
【図３】
2009263982.tif 000005
【図４】
2009263982.tif 000006
【図５】
2009263982.tif 000007
【図６】
2009263982.tif 000008